(57)【要約】【課題】            円柱の外周面に沿って化粧板（パネル）を張設するとき、出発パネルと最終パネルとの間の幅を調整するため、一方のパネルの一部を切断したり、いくつかの幅寸法の目地材から工事に合う寸法の目地を選択したりしている。【解決手段】        最終パネル（１１）の一端に冂部（１７）と開口（２０）を設け、カバー（１２）の突部（２１）と係合金具（２４）を開口（２０）内に嵌合させ、カバー（１２）の一方の部分（１９）を最終パネル（１１）の段部（１６）にかつ他方の部分（２２）を出発パネル（１０）の挿入片（１５）に当接させる。【選択図】          図３
2005256296.tif 000002
【特許請求の範囲】
【請求項１】
円柱の外周面に沿って配される複数の化粧板を有し、
出発化粧板と隣り合う最終化粧板の端部が、冂部と、冂部と横Ｔ字部とで画定される開口を有し、カバーが開口に挿入される突部と、最終化粧板の端部に接する部分及び出発化粧板の挿入片に当接する部分を有する円柱用化粧板構造。
【請求項２】
カバーの突部が係合金具を介して開口に嵌合される請求項１記載の円柱用化粧板構造。
【請求項３】
最終化粧板の端部が段部を有し、カバーの一部が該段部に当接する請求項２記載の円柱用化粧板構造。
【発明の詳細な説明】
【技術分野】
【０００１】
本発明は、大型建築物、公共施設或いは地下街などに主に用いられる円柱用の化粧板（パネル）の取付構造に関する。
【背景技術】
【０００２】
円柱に化粧板、即ちパネルを取り付けるには、鉄骨パイプの外表面にアングルを固定し、パイプの長手方向に延在するアングルの少なくとも上下部に円周方向に延在するバンドを固定し、このバンドにパネルを張設させる手段を用いる。
パネルは、その一端に略Ｌ形の固定片を有し、固定片をバンドにビス止めした後、隣り合うパネルの一端の挿入片を固定片にスナップ止めすることで連続的に接続している。
【０００３】
こうして、パネルを必要枚数分円柱の外表面に張設していくが、最終パネルの固定片を出発パネルの挿入片と程良い嵌合関係とすることは現場作業では難しく、周方向の長さを調整した最終パネルの固定片と出発パネルの挿入片とを共にバンドにビス止めし、次いで、目地材によりビスのヘッドを覆うことがなされている。
【０００４】
【特許文献１】特許第３４２１５４０号明細書
【特許文献２】実開昭６１−７１７３２号公報
【発明の開示】
【発明が解決しようとする課題】
【０００５】
前述した如く、従来の円柱用パネル取付構造は、出発パネルと最終パネルとの合わせ部に、周方向長さの調整のためのパネルの切断或いは両パネルのビス止め作業を必要としているので作業が煩わしいものとなっている。
それ故に、本発明は、前述した従来技術の不具合を解消させることを解決すべき課題とする。
【課題を解決するための手段】
【０００６】
本発明は、前述した課題を解決するために、基本的には、出発パネルと最終パネルとの間に、最終パネルの端部に嵌着し、一部が出発パネルの挿入片に着座するカバーを用いる技術手段を採用する。
【０００７】
本発明によれば、円柱の外周面に沿って配される複数の化粧板を有し、出発化粧板と隣り合う最終化粧板の端部が、冂部と、冂部と横Ｔ字部とで画定される開口を有し、カバーが開口に挿入される突部と、最終化粧板の端部に接する部分及び出発化粧板の挿入片に当接する部分を有する円柱用化粧板構造が提供される。
【０００８】
好ましくは、カバーの突部が係合金具を介して開口に嵌合される。又、最終化粧板の端部が段部を有し、カバーの一部が該段部に当接する。
【発明の効果】
【０００９】
最終パネルは、冂部をバンドに固定させ、カバーの突部を開口に嵌合させることで、出発パネルと連結される。これにより、カバーと出発パネルとの寸法調整或いは組付誤差の吸収が容易となり、ガタ付きや振動の発生が無い。加えて、複数のパネルの内、最終パネルの一端のみ形状を異にし、他のパネルは同一形状のものを用い、同一施工法により連続させるので、パネルの数を変えることで径の異なる円柱への適用が可能となる。
カバーの最終パネルへの取付は係合金具を用い、ビス等を用いないので作業は極めて容易である。
【発明を実施するための最良の形態】
【００１０】
化粧板、即ちパネル１を張設した円柱の構造を図１と図２に示す。
鉄骨パイプ２の外周面に補助板３を介して取付アングル４をパイプ２に固定させる。補助板３と取付アングル４は、周方向に離間して上下に４ヶ所ずつ、計８ヶ所に設けているが、この数は適宜選定され、図示例に特定されない。
取付アングル４にパイプ２の長手方向に延在するスチール製の長尺アングル５をビス止めする。長尺アングル５の上下にスチールバンド６を溶接する。パネル１がスチールバンド６に張設される。
尚、図２に示す８は巾木、９は床タイル等の仕上げ材を示す。
【００１１】
図３に、出発パネル１０と最終パネル１１及びカバー１２の組合せを示す。
出発パネル１０は、バンド６にビス止めされる略Ｌ形の固定片１３を一端に有し、他端にフランジ１４付きの挿入片１５を有す。
最終パネル１１は、一端に段部１６と、冂部１７と、冂部と一体の横Ｔ字部１８とを有し、冂部１７と横Ｔ字部１８とは外方に開口する。
カバー１２は、最終パネル１１の段部１６に当接する部分１９と、横Ｔ字部１８により作られる開口２０に挿入される突部２１と、出発パネル１０の挿入片１５に当接する部分２２とを有す。
【００１２】
図４に示すように、最終パネル１１の端部は、その冂部１７からビス２３をバンド６にねじ込み、バンド６に固定される。係合金具２４を用い突部２１を開口２０内に挿入し、両パネル１０，１１の接続部にカバー１２を取り付ける。カバー１２は両パネル１０，１１と同じ模様を有し、あたかも両パネル１０，１１が連続した一枚パネルのように見えることになる。
係合金具２４は公知構成のもので良く、たとえば、実開昭６３−１９５０３７号公報に開示される弾性係合具を用いることができる。
【００１３】
前述した如く、最終パネル１１は、冂部１７をビス２３を用いてバンド６に固定させ、係合金具２４を取り付けたカバー１２の突部２１を開口２０に嵌合させることで、出発パネル１０と連結される。この際、カバー１２の端の部分１９が段部１６に着座し、カバー１２と最終パネル１１との位置決め関係を容易とさせ、他端の部分２２が挿入片１５を弾力的に押さえるので、カバー１２と出発パネル１０との寸法調整或いは組付誤差の吸収が容易となり、ガタ付きや振動の発生が無い。
【００１４】
加えて、複数のパネルの内、最終パネル１１の一端のみ形状を異にし、他のパネルは同一形状のものを用い、同一施工法により連続させるので、径の異なる円柱への適用が可能となる。
カバー１２の最終パネル１１への取付は係合金具２４を用い、ビス等を用いないので作業は極めて容易である。
【００１５】
図５に示す例は、パネル１０，１１に山と谷の模様を付したもので、基本的には図３に示すパネル１０，１１と同一構成である。
カバー１２’は、山と谷とからなる模様を有し、端部１９より側外方にフランジ２５を有し、カバー１２’を係合金具２４を用い最終パネル１１に取り付けたとき、フランジ２５が段部１６の側方に当接し、山と谷の模様を連続とさせ見栄えを良くする。
尚、図５で、係合金具２４のみを拡大して図示している。
【００１６】
図６に示す例は、両パネル１０，１１は、パネルの模様を除き図３の例と同一構成であるが、カバー１２''は、内向きの離間した三本の脚片を有し、左方の脚片の先端部分１９が段部１６に当接して、最終パネル１１とカバー１２''との間の相対的位置関係を定め、さらに、別の部分２２が挿入片１５に弾力的に当接し、ガタ付きの吸収を可能とする。
【００１７】
図５と図６に示す例も、図３に示す例と同効果を奏す。又、パネルの模様は、図示例に限定されることなく、他の模様を採用できる。
【図面の簡単な説明】
【００１８】
【図１】円柱に化粧板（パネル）を張設した構造の横断面図である。
【図２】図１の矢視II−IIより見た断面図である。
【図３】最終パネルと出発パネルとカバー示す平面図である。
【図４】最終パネルと出発パネルとの連結構造を示す部分断面図である。
【図５】パネルとカバーの別の例を示す平面図である。
【図６】パネルとカバーの他の例を示す平面図である。
【符号の説明】
【００１９】
１    パネル（化粧板）
２    鉄骨パイプ
６    バンド
１０    出発パネル
１１    最終パネル
１２，１２’，１２''    カバー
１３    固定片
１４，２５    フランジ
１６    段部
１７    冂部
２０    開口
２４    係合金具
【図１】
2005256296.tif 000003
【図２】
2005256296.tif 000004
【図３】
2005256296.tif 000005
【図４】
2005256296.tif 000006
【図５】
2005256296.tif 000007
【図６】
2005256296.tif 000008